(57)【要約】【課題】本発明は、携帯電話がマナーモードに設定や電源オフが行われ、所定時間経過後、マナーモード設定状態や電源オフ状態が未解除の場合に、使用者に告知する一方、自動解除し、携帯電話の使い勝手の向上を図ることを目的とする。【解決手段】このため、キー入力手段と、電源と、送受信手段と、記憶手段と、マナーモード設定手段と、表示手段と、各手段を制御する制御手段とを備える携帯電話の操作制御装置において、告知手段を設け、キー入力手段によりマナーモード設定手段への設定操作または電源へのオフ操作が行われた際に、タイマを駆動させ、所定時間経過後に、マナーモード設定手段の設定状態または電源のオフ状態が解除されていない場合には、マナーモード設定手段の設定状態または電源のオフ状態を自動的に解除する一方、自動解除が行われたことを告知手段を動作させて携帯電話の使用者に告知する設定解除手段を備える。【選択図】図１
2012023585.tif 000002
【特許請求の範囲】
【請求項１】
携帯電話を操作するためのキー入力手段と、前記携帯電話のオン・オフを行う電源と、通信のための送受信機能を有する送受信手段と、アドレスや各種設定内容を記憶する記憶手段と、前記携帯電話をマナーモードに設定するマナーモード設定手段と、各種の情報を表示する表示手段と、各手段を制御する制御手段とを備える携帯電話の操作制御装置において、音声や効果音を出力する機能や前記携帯電話を振動させるバイブ機能を有する告知手段を設け、前記キー入力手段により前記マナーモード設定手段への設定操作または前記電源へのオフ操作が行われた際に、タイマを駆動させ、所定時間経過後に、前記マナーモード設定手段の設定状態または前記電源のオフ状態が解除されていない場合には、前記マナーモード設定手段の設定状態または前記電源のオフ状態を自動的に解除する一方、この自動解除が行われたことを前記告知手段を動作させて前記携帯電話の使用者に告知する設定解除手段を備えることを特徴とする携帯電話の操作制御装置。
【請求項２】
前記設定解除手段は、前記キー入力手段の所定のキー操作によって前記マナーモード設定手段への設定操作または前記電源へのオフ操作を行う一方、このの所定のキー操作によって前記マナーモード設定手段の設定状態または前記電源のオフ状態を自動的に解除するまでの所定時間に複数の設定パターンを備えていることを特徴とする請求項１に記載の携帯電話の操作制御装置。
【発明の詳細な説明】
【技術分野】
【０００１】
この発明は携帯電話の操作制御装置に係り、特に携帯電話がマナーモードに設定、または、電源オフが行われ、所定時間経過した後に、マナーモードの設定状態、または、電源オフ状態が解除されていない場合には、携帯電話の使用者に告知する一方、マナーモードの設定状態、または、電源オフ状態を自動的に解除し、携帯電話の使い勝手の向上を図る携帯電話の操作制御装置に関するものである。
【背景技術】
【０００２】
近時、携帯電話が普及し、多くの者が使用している状態にある。
携帯電話の普及とともに、携帯電話の機能も向上している。
例えば、現在の携帯電話は、キー入力手段を操作して電話やメール、インターネットなどによる送受信機能を使用するのみでなく、アドレスや各種設定内容を記憶する機能も有し、電車やその他の移動交通手段内での使用を制限するためのマナーモードを設定する機能をも備えている。
【先行技術文献】
【特許文献】
【０００３】
【特許文献１】特開２００９−１８８９５７号公報
【特許文献２】特開２００９−１８８７２５号公報
【特許文献３】特開２００９−０８９０２４号公報
【特許文献４】特開２００８−１９３２９６号公報
【特許文献５】特開２００４−３２８２４５号公報
【特許文献６】特開２００４−２８２６５１号公報
【特許文献７】特開２０００−２０９３１０号公報
【発明の概要】
【発明が解決しようとする課題】
【０００４】
ところで、従来の携帯電話においては、電車やその他の移動交通手段内や会議などの際に、携帯電話を電源オフ、あるいは、マナーモードに設定する場合がある。
そして、携帯電話を電源オフすると、使用者が電源オンしない限り、携帯電話の電源がオンとなることはない。
また、携帯電話をマナーモードに設定すると、携帯電話の呼び出し音が消される。
この結果、電車やその他の移動交通手段内や会議などでは携帯電話の呼び出し音が消されても何ら不具合はないが、移動交通手段外や会議終了後に、携帯電話の電源オン、あるいは、マナーモードの設定解除を忘れると、携帯電話の呼び出し時を認識することができず、携帯電話の使い勝手が悪化するという不都合がある。
この対処方策として、携帯電話を電源オフ、あるいは、マナーモードに設定しない者もいるが、電車やその他の移動交通手段内や会議などで携帯電話の呼び出し音が鳴ると、他の者に迷惑を掛ける可能性があり、一般的な常識として避ける必要がある。
このため、前記携帯電話のマナーモード機能に対しては、バイブ機能（「バイブレーション機能」ともいう。）を付加し、マナーモードの設定といっしょにバイブ機能を設定して、このバイブ機能の振動によって携帯電話の呼び出し時を認識するものがある。
しかし、前記携帯電話をマナーモードに設定し、かつ、バイブ機能をも設定しても、電話を身に付けていないで、カバンなどに入れている場合には、バイブ機能の振動を感じることができない場合もあり、改善が望まれていた。
【０００５】
この発明は、携帯電話がマナーモードに設定、または、電源オフが行われ、所定時間経過した後に、マナーモードの設定状態、または、電源オフ状態が解除されていない場合には、携帯電話の使用者に告知する一方、マナーモードの設定状態、または、電源オフ状態を自動的に解除し、携帯電話の使い勝手の向上を図ることを目的としている。
【課題を解決するための手段】
【０００６】
そこで、この発明は、上述不都合を除去するために、携帯電話を操作するためのキー入力手段と、前記携帯電話のオン・オフを行う電源と、通信のための送受信機能を有する送受信手段と、アドレスや各種設定内容を記憶する記憶手段と、前記携帯電話をマナーモードに設定するマナーモード設定手段と、各種の情報を表示する表示手段と、各手段を制御する制御手段とを備える携帯電話の操作制御装置において、音声や効果音を出力する機能や前記携帯電話を振動させるバイブ機能を有する告知手段を設け、前記キー入力手段により前記マナーモード設定手段への設定操作または前記電源へのオフ操作が行われた際に、タイマを駆動させ、所定時間経過後に、前記マナーモード設定手段の設定状態または前記電源のオフ状態が解除されていない場合には、前記マナーモード設定手段の設定状態または前記電源のオフ状態を自動的に解除する一方、この自動解除が行われたことを前記告知手段を動作させて前記携帯電話の使用者に告知する設定解除手段を備えることを特徴とする。
【発明の効果】
【０００７】
以上詳細に説明した如くこの発明によれば、携帯電話を操作するためのキー入力手段と、携帯電話のオン・オフを行う電源と、通信のための送受信機能を有する送受信手段と、アドレスや各種設定内容を記憶する記憶手段と、携帯電話をマナーモードに設定するマナーモード設定手段と、各種の情報を表示する表示手段と、各手段を制御する制御手段とを備える携帯電話の操作制御装置において、音声や効果音を出力する機能や携帯電話を振動させるバイブ機能を有する告知手段を設け、キー入力手段によりマナーモード設定手段への設定操作または電源へのオフ操作が行われた際に、タイマを駆動させ、所定時間経過後に、マナーモード設定手段の設定状態または電源のオフ状態が解除されていない場合には、マナーモード設定手段の設定状態または電源のオフ状態を自動的に解除する一方、自動解除が行われたことを告知手段を動作させて携帯電話の使用者に告知する設定解除手段を備える。
従って、前記携帯電話がマナーモードに設定、または、電源オフが行われ、所定時間経過した後に、マナーモードの設定状態、または、電源オフ状態が解除されていない場合には、マナーモードの設定状態、または、電源オフ状態を自動的に解除することにより、携帯電話の使い勝手を向上させることができるとともに、現在までマナーモードの設定状態、または、電源オフ状態が解除されていなかった旨の連絡と、現在、マナーモードの設定状態、または、電源オフ状態を自動的に解除を行った旨の連絡との２種類の状況を携帯電話の使用者に告知することができる。
【図面の簡単な説明】
【０００８】
【図１】図１は携帯電話の操作制御装置の制御用フローチャートである。（実施例１）
【図２】図２は携帯電話の操作制御装置の概略構成図である。（実施例１）
【発明を実施するための形態】
【０００９】
以下図面に基づいてこの発明の実施例を詳細に説明する。
【実施例】
【００１０】
図１及び図２はこの発明の実施例を示すものである。
図２において、１は携帯電話（図示せず）の操作制御装置である。
この携帯電話の操作制御装置１は、携帯電話を操作するためのキー入力手段２と、前記携帯電話のオン・オフを行う電源３と、通信のための送受信機能を有する送受信手段４と、アドレスや各種設定内容を記憶する記憶手段５と、前記携帯電話をマナーモードに設定するマナーモード設定手段６と、各種の情報を表示する表示手段７と、各手段を制御する制御手段８とを備えている。
つまり、前記携帯電話の操作制御装置１は、図２に示す如く、制御手段８を有し、この制御手段８の入力側に前記キー入力手段２を接続する一方、制御手段８の出力側に前記表示手段７を接続している。
このとき、前記キー入力手段２は、携帯電話を操作するためのキー（図示せず）からなる部分であり、数字キーや方向指示キーなどを多数含んでいる。
また、前記電源３は、前記携帯電話のオン・オフを行うためのものであり、厳密には、電源オン・オフスイッチと換言することも可能である。しかし、一般的な携帯電話においては、会話のオン・オフを行うキーを長押しすることにより電源のオン・オフを可能としており、キーを押し時間によって併用している。
更に、前記送受信手段４は、携帯電話によって、会話やメール、インターネットなどの通信のための送受信機能を有している。
更にまた、前記記憶手段５は、電話番号やメールのアドレスを記憶するとともに、着信音や音量、その他の各種設定内容を記憶し、カメラ機能が付加されている場合には、撮影した映像データをも記憶している。
また、前記マナーモード設定手段６は、携帯電話をマナーモードに設定する機能であり、前記キー入力手段２によってマナーモードの設定のための操作入力を行っている。
更に、前記制御手段８は、前記電源３と前記送受信手段４と前記記憶手段５と前記マナーモード設定手段６とを備えており、これらの各手段を制御するとともに、前記キー入力手段２によってデータを入力し、必要に応じて前記表示手段７に各種の情報を表示している。
【００１１】
そして、前記携帯電話の操作制御装置１には、音声や効果音を出力する機能や前記携帯電話を振動させるバイブ機能を有する告知手段９を設け、前記キー入力手段２により前記マナーモード設定手段６への設定操作、または、前記電源３へのオフ操作が行われた際に、タイマ１０を駆動させ、所定時間経過後に、前記マナーモード設定手段６の設定状態、または、前記電源３のオフ状態が解除されていない場合には、前記マナーモード設定手段６の設定状態、または、前記電源３のオフ状態を自動的に解除する一方、自動解除が行われたことを前記告知手段９を動作させて携帯電話の使用者に告知する設定解除手段１１を備えている。
詳述すれば、前記携帯電話の操作制御装置１は、図２に示す如く、例えば、前記制御手段８に前記タイマ１０と前記設定解除手段１１とを設ける。
また、前記制御手段８の出力側に前記告知手段９を接続して設ける。なお、この告知手段９としては、音声や効果音を出力する機能や前記携帯電話を振動させるバイブ機能などの単独動作や並行動作が考えられるが、前記表示手段７への表示や前記携帯電話の所定部位を点灯・点滅させて告知する方策も考えられる。
そして、前記制御手段８の前記設定解除手段１１は、前記キー入力手段２により前記マナーモード設定手段６への設定操作、または、前記電源３へのオフ操作が行われた際に、前記タイマ１０を駆動させ、所定時間、例えば２時間が経過した後に、前記マナーモード設定手段６の設定状態、または、前記電源３のオフ状態が解除されていない場合には、前記マナーモード設定手段６の設定状態、または、前記電源３のオフ状態を自動的に解除するとともに、自動解除が行われたことを前記告知手段９を動作させて携帯電話の使用者に告知するものである。
なお、前記制御手段８の前記設定解除手段１１による設定解除の制御において、この実施例においては「前記マナーモード設定手段６への設定操作」と「前記電源３へのオフ操作」との２つの操作を勘案する説明としているが、「前記マナーモード設定手段６への設定操作」と「前記電源３へのオフ操作」とのいずれか一方の操作のみの制御を行う構成とすることも可能である。
【００１２】
また、前記設定解除手段１１は、前記キー入力手段２の所定のキー操作によって前記マナーモード設定手段６への設定操作、または、前記電源へのオフ操作を行う一方、この所定のキー操作によって前記マナーモード設定手段６の設定状態、または、前記電源３のオフ状態を自動的に解除するまでの所定時間に複数の設定パターンを備える構成とすることも可能である。
つまり、前記設定解除手段１１に、複数、例えば、以下のような５個の設定パターンを設ける。
（１）第１設定パターン
３０分経過後に、前記マナーモード設定手段６の設定状態、または、前記電源３のオフ状態を自動的に解除する。
（２）第２設定パターン
１時間経過後に、前記マナーモード設定手段６の設定状態、または、前記電源３のオフ状態を自動的に解除する。
（３）第３設定パターン
２時間経過後に、前記マナーモード設定手段６の設定状態、または、前記電源３のオフ状態を自動的に解除する。
（４）第４設定パターン
前記キー入力手段２の数字キーでダイレクトに入力した時間経過後に、前記マナーモード設定手段６の設定状態、または、前記電源３のオフ状態を自動的に解除する。
（５）第５設定パターン
時間設定が行われるまで、前記マナーモード設定手段６の設定状態、または、前記電源３のオフ状態を自動的に解除しない。
そして、上述した第１〜第５設定パターンまでの切換を行う際には、前記キー入力手段２の所定のキーを操作する時に、以下のような方策とすることが可能である。
（ア）所定の単独キーにおける『長押し操作』
（イ）所定の単独キーにおける『所定時間内の連続押圧操作』
（ウ）所定の複数キーにおける『所定時間内の連続押圧操作』
（エ）所定の複数キーにおける『同時押圧操作』
【００１３】
次に、図１の前記携帯電話の操作制御装置１の制御用フローチャートに沿って作用を説明する。
【００１４】
前記携帯電話の操作制御装置１の制御用プログラムがスタート（１０１）すると、「操作されたか？」否かの判断（１０２）に移行する。
この「操作されたか？」否かの判断（１０２）は、前記キー入力手段２により前記マナーモード設定手段６への設定操作、または、前記電源３へのオフ操作が行われた否かを判断している。
そして、この「操作されたか？」否かの判断（１０２）において、判断（１０２）がＮＯの場合には、何ら処理を行わず、後述する前記携帯電話の操作制御装置１の制御用プログラムのエンド（１０５）に移行する。
また、判断（１０２）がＹＥＳの場合には、「所定時間が経過したか？」否かの判断（１０３）に移行する。
この「所定時間が経過したか？」否かの判断（１０３）は、所定時間、例えば２時間が経過したか否を判断している。
そして、「所定時間が経過したか？」否かの判断（１０３）において、判断（１０３）がＮＯの場合には、この判断（１０３）がＹＥＳとなるまで、判断（１０３）を繰り返し行う。
また、判断（１０３）がＹＥＳの場合には、「自動解除、告知」の処理（１０４）に移行する。
この「自動解除、告知」の処理（１０４）の「自動解除」は、前記携帯電話の前記マナーモード設定手段６の設定状態、または、前記電源３のオフ状態が解除されていない場合に、前記設定解除手段１１によって、前記携帯電話の前記マナーモード設定手段６の設定状態、または、前記電源３のオフ状態を自動的に解除するものである。
また、「告知、自動解除」の処理（１０４）の「告知」は、前記携帯電話の前記マナーモード設定手段６の設定状態、または、前記電源３のオフ状態が解除されていない場合に、前記設定解除手段１１によって、音声や効果音を出力する機能や前記携帯電話を振動させるバイブ機能、前記表示手段７への表示、前記携帯電話の所定部位を点灯・点滅させる機能などの単独動作や並行動作を利用する、前記告知手段９を動作させて前記携帯電話の使用者に告知するものである。
そして、「自動解除、告知」の処理（１０４）の後には、前記携帯電話の操作制御装置１の制御用プログラムのエンド（１０５）に移行する。
【００１５】
これにより、前記携帯電話の操作制御装置１は、音声や効果音を出力する機能や前記携帯電話を振動させるバイブ機能を有する告知手段９を設け、前記キー入力手段２により前記マナーモード設定手段６への設定操作、または、前記電源３へのオフ操作が行われた際に、タイマ１０を駆動させ、所定時間経過後に、前記マナーモード設定手段６の設定状態、または、前記電源３のオフ状態が解除されていない場合には、前記マナーモード設定手段６の設定状態、または、前記電源３のオフ状態を自動的に解除するとともに、自動解除が行われたことを前記告知手段９を動作させて携帯電話の使用者に告知する設定解除手段１１を備えている。
従って、前記携帯電話がマナーモードに設定、または、電源オフが行われ、所定時間経過した後に、マナーモードの設定状態、または、電源オフ状態が解除されていない場合には、マナーモードの設定状態、または、電源オフ状態を自動的に解除することにより、携帯電話の使い勝手を向上させることができるとともに、現在までマナーモードの設定状態、または、電源オフ状態が解除されていない旨の連絡と、現在、マナーモードの設定状態、または、電源オフ状態を自動的に解除を行った旨の連絡との２種類の状況を携帯電話の使用者に告知することができる。
そしてこのとき、前記告知手段９による携帯電話の使用者への告知は、使用者に携帯電話の現状を知らせることができるという点と、使用者の携帯電話の設定解除忘れ、換言すれば、携帯電話の復帰操作忘れに対する注意を促すという点のメリットを有している。
また、前記携帯電話においては、前記告知手段９や前記マナーモード設定手段６の機能を既に備えているものも多数存在している可能性があり、そのような場合には、携帯電話の前記制御手段８に使用される制御プログラムの変更のみで対処できる可能性もあり、製作の容易化を図り、コストを低廉に維持することも可能である。
【００１６】
また、前記設定解除手段１１は、前記キー入力手段２の所定のキー操作によって前記マナーモード設定手段６への設定操作、または、前記電源へのオフ操作を行う一方、この所定のキー操作によって前記マナーモード設定手段６の設定状態、または、前記電源３のオフ状態を自動的に解除するまでの所定時間に複数の設定パターンを備える構成とすることも可能である。
さすれば、前記設定解除手段１１が複数の設定パターンを備えることによって、前記携帯電話の使用者の選択の自由度が大となり、携帯電話の使い勝手の向上に寄与し得るとともに、複数の設定パターンによって細かな設定が可能となり、前記設定解除手段１１の制御精度の向上と信頼性の向上との両方を実現することが可能である。
【００１７】
なお、この発明は上述実施例に限定されるものではなく、種々の応用改変が可能である。
【００１８】
例えば、この発明の実施例においては、前記携帯電話の操作制御装置の設定解除手段によって、前記キー入力手段により前記マナーモード設定手段への設定操作、または、前記電源へのオフ操作が行われた際に、タイマを駆動させ、所定時間経過後に、前記マナーモード設定手段の設定状態、または、前記電源のオフ状態が解除されていない場合には、前記マナーモード設定手段の設定状態、または、前記電源のオフ状態を自動的に解除する一方、自動解除が行われたことを前記告知手段９を動作させて携帯電話の使用者に告知する構成としたが、前記設定解除手段に予備告知機能や設定継続機能を付加する特別構成とすることも可能である。
すなわち、電車やその他の移動交通手段内や会議などの際に、携帯電話を電源オフ、あるいは、マナーモードに設定した後に、所定時間経過する前、例えば５分前に予備告知機能を利用して、前記設定解除手段が５分後に機能する旨を携帯電話の使用者に予備告知するものである。電車やその他の移動交通手段内や会議などは、前記設定解除手段に設定した所定時間内で終了しない場合もあり、都合によって移動時間や会議時間が延びた場合に、上述の予備告知機能を利用して前記設定解除手段が機能する時期を携帯電話の使用者が予め知ることが可能となる。
そして、前記設定継続機能を利用して、前記設定解除手段の設定を継続させるように機能するものである。この設定継続機能としては、前記設定解除手段が機能するまでの所定時間を、スイッチ等の押し回数によって、例えば１０分間ずつ延長させる継続方策以外にも、前記設定解除手段の設定を再度やり直す方策などが考えることが可能である。
さすれば、前記携帯電話の操作制御装置の設定解除手段に予備告知機能や設定継続機能を付加して、設定解除手段を備える携帯電話の使い勝手の向上に寄与し得るものである。
【符号の説明】
【００１９】
１  携帯電話の操作制御装置
２  キー入力手段
３  電源
４  送受信手段
５  記憶手段
６  マナーモード設定手段
７  表示手段
８  制御手段
９  告知手段
１０  タイマ
１１  設定解除手段
【図１】
2012023585.tif 000003
【図２】
2012023585.tif 000004